(57)【特許請求の範囲】
【請求項１】
軒樋吊具は、軒樋を支持する支持部と、支持部の後端に接続した取付部を備え、支持部の前部に前側保持部を設けると共に後部に取付部よりも下方に位置する後側保持部を設け、後側保持部を、支持部から後方に向けて突出する係止突部と、係止突部の上方に形成した後方に向けて開口する耳部収納空所とで構成し、軒樋の後壁部の上端に前方に向けて突出する後耳部を形成し、軒樋吊具の取付部を軒先面に取付けて、後側保持部を軒先面に対向させると共に、係止突部から軒先面までの最短距離を軒樋の後耳部の前後幅よりも大きくして、係止突部と軒先面との間に後耳部通し用隙間を形成し、軒樋吊具の前側保持部で軒樋の前側部分を保持すると共に、軒樋の後耳部を軒樋吊具の係止突部の上面に係止して耳部収納空所内に収納し、軒樋吊具に別体の耳部外れ防止部材を保持させると共に、該耳部外れ防止部材を軒樋の後壁部の上部と軒先面の間に形成された隙間に配置し、係止突部から耳部外れ防止部材までの最短距離を軒樋の後耳部の前後幅よりも小さくした軒樋の支持構造であって、耳部外れ防止部材を、左右一対の挿入部と、これら一対の挿入部の上部同士を連結する弾性変形可能な連絡部とで構成し、各挿入部の上端に連絡部よりも上方に突出する操作部を形成し、挿入部の連絡部よりも下方に位置する箇所に他の挿入部側に向けて係合部を突設し、耳部外れ防止部材の一対の挿入部をこの間に軒樋吊具を位置させるように軒樋の後壁部の上部と軒先面の間に形成された隙間に挿入すると共に、係合部を軒樋吊具の下面に係止したことを特徴とする軒樋の支持構造。
【発明の詳細な説明】
【技術分野】
【０００１】
本発明は軒樋吊具で支持される軒樋の支持構造に関する。
【背景技術】
【０００２】
従来の軒樋の支持構造の一例を図６に示す。この支持構造は、鼻板カバー３８の外面で構成される軒先面２に軒樋吊具３を取付け、軒樋吊具３で軒樋４を支持している。
【０００３】
軒樋吊具３は、軒樋４を支持する支持部１４と、支持部１４の後端に設けた取付部８を備えており、取付部８は軒先面２に取付け固定される。支持部１４の後部には下方に開口する凹部４２を形成してあり、凹部４２の前側下縁からは後方に向けて係止突部２０を突出している。凹部４２の後壁の下縁は係止突部２０よりも下方に突出して下方突出部４３を形成してあり、下方突出部４３の下端には前側に向けて押さえ部４４を突出している。また軒樋４は後壁部４ｃの上端から前方に向けて後耳部２６を突出している。
【０００４】
軒樋４を軒樋吊具３に取付けるには、軒樋４の前部を軒樋吊具３の前部に支持すると共に、後耳部２６を係止突部２０の上面に係止して係止突部２０上方の耳部収納空所２１に収納する。このように取付けた軒樋４の後壁部４ｃの後面には軒樋吊具３の押さえ部４４の突端が近接し、これにより軒樋４のがたつきを防止すると共に、後壁部４ｃが後方に移動して後耳部２６が係止突部２０から外れて耳部収納空所２１から抜けることを防止している。
【０００５】
しかし上記図６に示す支持構造では、軒樋吊具３の押さえ部４４を下方突出部４３の下端から前側に向けて突出しているので、軒樋４が軒先面２から屋外側に大きく離れて位置し、この場合、軒樋４と軒先面２との間に形成される隙間が大きくなり外観が悪い。また図６では軒樋吊具３の係止突部２０と下方突出部４３との間に軒樋４の後耳部２６が通過できる程度の隙間を形成しているので、軒樋４の後耳部２６がこの隙間を通過して脱落する恐れがある。
【０００６】
また例えば特許文献１には図７に示す支持構造が開示されている。この支持構造における軒樋吊具３は取付部８を支持部１４の後端から下方に向けて突出している。支持部１４の取付部８に対向する位置からは後方に向けて係止突部２０を突出してあり、係止突部２０の上方には後方に向けて開口する耳部収納空所２１を取付部８に対向させて形成している。軒樋４の後耳部２６は図６と同様に耳部収納空所２１に収納されて係止突部２０の上面に係止している。また軒樋４の後壁部４ｃと同部に対向する軒樋吊具３の取付部８との間に形成された隙間には軒樋吊具３に保持した耳部外れ防止部材２９を配置している。
【０００７】
しかし上記上記特許文献１に開示される支持構造では、耳部外れ防止部材２９と軒先面２との間に軒樋吊具３の取付部８が介在するので、この分だけ軒樋４が軒先面２から屋外側に離れて位置し外観が悪い。
【特許文献１】特開平１１−２４７３８３号公報
【発明の開示】
【発明が解決しようとする課題】
【０００８】
本発明は上記従来の問題点に鑑みて発明したものであって、軒樋の後耳部が軒樋吊具から外れることを確実に防止でき、しかも軒樋と軒先面との間に形成される隙間が小さく、且つ軒樋を軒先面に近い位置に配置できて外観の良い軒樋の支持構造を提供することを課題とするものである。
【課題を解決するための手段】
【０００９】
上記課題を解決するために本発明に係る軒樋の支持構造にあっては、軒樋吊具３は、軒樋４を支持する支持部１４と、支持部１４の後端に接続した取付部８を備え、支持部１４の前部に前側保持部１６を設けると共に後部に取付部８よりも下方に位置する後側保持部１７を設け、後側保持部１７を、支持部１４から後方に向けて突出する係止突部２０と、係止突部２０の上方に形成した後方に向けて開口する耳部収納空所２１とで構成し、軒樋４の後壁部４ｃの上端に前方に向けて突出する後耳部２６を形成し、軒樋吊具３の取付部８を軒先面２に取付けて、後側保持部１７を軒先面２に対向させると共に、係止突部２０から軒先面２までの最短距離Ａ１を軒樋４の後耳部２６の前後幅Ｌよりも大きくして、係止突部２０と軒先面２との間に後耳部通し用隙間２７を形成し、軒樋吊具３の前側保持部１６で軒樋４の前側部分を保持すると共に、軒樋４の後耳部２６を軒樋吊具３の係止突部２０の上面に係止して耳部収納空所２１内に収納し、軒樋吊具３に別体の耳部外れ防止部材２９を保持させると共に、該耳部外れ防止部材２９を軒樋４の後壁部４ｃの上部と軒先面２の間に形成された隙間３０に配置し、係止突部２０から耳部外れ防止部材２９までの最短距離Ａ２を軒樋４の後耳部２６の前後幅Ｌよりも小さくしたものであって、耳部外れ防止部材２９を、左右一対の挿入部３１と、これら一対の挿入部３１の上部同士を連結する弾性変形可能な連絡部３２とで構成し、各挿入部３１の上端に連絡部３２よりも上方に突出する操作部３３を形成し、挿入部３１の連絡部３２よりも下方に位置する箇所に他の挿入部３１側に向けて係合部３５を突設し、耳部外れ防止部材２９の一対の挿入部３１をこの間に軒樋吊具３を位置させるように軒樋４の後壁部４ｃの上部と軒先面２の間に形成された隙間３０に挿入すると共に、係合部３５を軒樋吊具３の下面に係止したことを特徴とするものである。軒樋吊具３に保持した耳部外れ防止部材２９は軒樋４の後壁部４ｃの上部と軒先面２の間に形成された隙間３０に配置され、係止突部２０から耳部外れ防止部材２９までの最短距離Ａ２は軒樋４の後耳部２６の前後幅Ｌよりも小さいので、この耳部外れ防止部材２９により軒樋４の後耳部２６が軒樋吊具３の耳部収納空所２１から抜け出ることを確実に防止できる。しかも軒樋４の後壁部４ｃと軒先面２との間には、軒樋吊具３が存在しないので、軒樋４を軒先面２に近づけて位置させると共に軒樋４と軒先面２との間に形成される隙間３０を小さくできて外観を向上できる。
【００１０】
また前記耳部外れ防止部材２９を、左右一対の挿入部３１と、これら一対の挿入部３１の上部同士を連結する弾性変形可能な連絡部３２とで構成し、各挿入部３１の上端に連絡部３２よりも上方に突出する操作部３３を形成し、挿入部３１の連絡部３２よりも下方に位置する箇所に他の挿入部３１側に向けて係合部３５を突設し、耳部外れ防止部材２９の一対の挿入部３１をこの間に軒樋吊具３を位置させるように軒樋４の後壁部４ｃの上部と軒先面２の間に形成された隙間３０に挿入すると共に、係合部３５を軒樋吊具３の下面に係止したことで、耳部外れ防止部材２９を軒樋４と軒先面２の間に挿入する時に、耳部外れ防止部材２９の一対の操作部３３を摘んで挿入部３１の間隔を広げることができ、これにより軒樋吊具３の支持部１４の後端部を耳部外れ防止部材２９の挿入部３１に干渉し難くでき、耳部外れ防止部材２９を隙間３０に容易に挿入できるようになる。
【発明の効果】
【００１１】
本発明では、軒樋の後耳部が軒樋吊具から外れることを確実に防止でき、尚且つ軒樋と軒先面との間に形成される隙間を小さくできて外観を向上できる。
【発明を実施するための最良の形態】
【００１２】
以下、本発明を添付図面に示す実施形態に基いて説明する。図１は本実施形態の軒樋４の支持構造を示すものであり、鼻板１の外面で構成される垂直な軒先面２には軒先面２に沿って複数の軒樋吊具３を取付けてあり、これら軒樋吊具３で長尺な軒樋４を支持している。
【００１３】
軒樋吊具３は、軒先面２に取付けられる取付部材５と、取付部材５に取付けた支持部材６とからなり、支持部材６で軒樋４を吊り下げ支持できるようになっている。
【００１４】
取付部材５は、後端に設けた縦片状の取付部８と、取付部８の下端から前方に向けて突出した支持腕部９とからなる。取付部８の左右両側は支持腕部９よりも外側に突出し、各突出部分にビスや釘等の固着具１０を挿通して鼻板１に固着することで取付部材５を軒先面２に取付ける。支持腕部９の前部は段差面１１を介して後部よりも一段下方に位置する連結部１２となっている。
【００１５】
支持部材６は支持腕部９の連結部１２の下面に固着具１３で取付けてあり、この支持部材６と前述の支持腕部９とで支持部１４を構成している。支持部材６と連結部１２を連結する固着具１３はボルト１３ａ及び蝶ナット１３ｂからなり、ボルト１３ａは下方から支持部材６及び連結部１２を挿通して上方に突出し、この突出部分に蝶ナット１３ｂを螺合して支持部材６と連結部９を締結している。また蝶ナット１３ｂの螺合を緩めた状態では、ボルト１３ａは支持部材６に対して前後方向にスライド可能で、蝶ナット１３ｂを緩めて支持部材６を支持腕部９に対する前後方向の任意の位置に移動し、この位置でボルト１３ａ及び蝶ナット１３ｂで支持腕部９と支持部材６を固定できるようになっている。なお取付部材５と支持部材６は一体に設けてあっても良い。
【００１６】
支持部材６の前端部には軒樋４の前部を保持する前側保持部１６を設けてあり、また後端部には軒樋４の後部を保持する後側保持部１７を設けている。
【００１７】
前側保持部１６は支持部材６の前端から上側に向けて突出した前耳部係止部１８と、同じく支持部材６の前端から下側に向けて突出した底部押さえ部１９とで構成している。
【００１８】
後側保持部１７は取付部８よりも下方に位置している。後側保持部１７は、支持部材６の後端の下端から後方に向けて突出する係止突部２０と、係止突部２０の上方に形成した後方に向けて開口する耳部収納空所２１とで構成されている。図示例では支持部材６の後端に後方に向けて開口する凹部２２を形成し、この凹部２２の底部を前記係止突部２０とし、凹部２２内の空間を前記耳部収納空所２１としている。なお支持部材６の後端部の上部は上側に突出し、支持腕部９の段差面１１の後方に位置している。
【００１９】
上記軒樋吊具３に支持される軒樋４は、底部４ａと、底部４ａの後端から垂直上向きに立ち上げた後壁部４ｃと、底部４ａの前端から後斜め上方に向けて立ち上げた前壁部４ｂとからなる。前壁部４ｂの上端には後方に向けて前耳部２４を突出してあり、前耳部２４の基端部には下側に向けて開口する溝部２５を形成している。また後壁部４ｃの上端には前方に向けて断面略ロ字状の後耳部２６を突出している。
【００２０】
軒樋４を軒先面２に取付けるには、まず取付部材５と支持部材６とで構成される軒樋吊具３の取付部８を固着具１０で軒先面２に固着し、この後、軒樋吊具３に軒樋４を取付ける。ここで軒先面２に取付けた軒樋吊具３は、係止突部２０と耳部収納空所２１で構成した後側保持部１７が取付部８の下方に位置する軒先面２に対向している。また図１に示す係止突部２０から軒先面２までの最短距離Ａ１を軒樋４の後耳部２６の前後幅Ｌよりも大きくしてあり、これにより係止突部２０と軒先面２との間に軒樋４の後耳部２６を通過可能とする後耳部通し用隙間２７を形成している。
【００２１】
軒樋吊具３に軒樋４を取付けるには、まず軒樋４の溝部２５に軒樋吊具３の前耳部係止部１８の上端部を下方から挿入して、前耳部２４を前耳部係止部１８に係止する。次いで、前耳部２４を中心に軒樋４を上方に回動して、軒樋４の後耳部２６を後耳部通し用隙間２７を通過させ、係止突部２０の上面に係止して軒樋吊具３の耳部収納空所２１内に収納する。このように軒樋４を軒樋吊具３に取付けると、軒樋吊具３の底部押さえ部１９の下端が軒樋４の底部４ａの上面に当たり、軒樋吊具３の支持部１４が軒樋４の内側に嵌め込み固定される。
【００２２】
ここで本発明にあっては、軒樋４の後耳部２６が軒樋吊具３の耳部収納空所２１から抜け出て係止突部２０から外れることを防止するために、図１のように軒樋吊具３に軒樋吊具３とは別体の耳部外れ防止部材２９を保持させ、この耳部外れ防止部材２９を軒樋４の後壁部４ｃの上部と軒先面２の間に形成された隙間３０に配置している。
【００２３】
図３に示す耳部外れ防止部材２９はゴム等の弾性を有する部材からなり、左右方向に離間して配置した縦長の挿入部３１と、これら一対の挿入部３１の上部同士を一体に連結する横長の連絡部３２とで構成されている。
【００２４】
各挿入部３１の上端には水平な連絡部３２よりも上方に突出する操作部３３を形成している。各操作部３３は挿入部３１を上方に延出して形成してあり、図４のようにこれら一対の操作部３３を指で摘んで操作部３３同士が近づく方向に操作することで、連絡部３２は挿入部３１の連絡部３２よりも下方に位置する部分が広がるように弧状に弾性変形できるようになっている。また各挿入部３１の上端部には前方に向けて半球状の突起３４を突出している。
【００２５】
また各挿入部３１の上下方向の中程には他の挿入部３１側に向けて係合部３５を突設してあり、各係合部３５は連絡部３２よりも下方に位置している。各係合部３５の下面は基端から突端に行く程上方に位置するように傾斜したガイド面となっている。また各挿入部３１の下端よりも上方には部分的に後方に向けて後突部３６を突出しており、各後突部３６の上面は各係合部３５の上面と同レベルに位置している。さらに各挿入部３１の下端部からは前方に向けて軒樋当て部３７を突出している。
【００２６】
上記耳部外れ防止部材２９を軒樋吊具３に保持するには、図２の矢印に示すように軒樋吊具３の上側から耳部外れ防止部材２９の一対の挿入部３１をこの間に軒樋吊具３の支持部１４の後端部を位置させるように隙間３０に挿入し、連絡部３２を支持部１４の後端部上に載置すると共に各係合部３５を軒樋吊具３の下面に係止する。
【００２７】
ここで上記のように耳部外れ防止部材２９を軒樋４と軒先面２の間に挿入する場合、図４に示すように一対の挿入部３１間を軒樋吊具３の支持部１４の後端部が相対的に上方に移動するのだが、この時、耳部外れ防止部材２９の一対の操作部３３を摘んで挿入部３１の間隔を広げることができ、軒樋吊具３の支持部１４の後端部を耳部外れ防止部材２９の挿入部３１に干渉し難くでき、耳部外れ防止部材２９を隙間３０に容易に挿入できる。しかも各係合部３５の下面は傾斜したガイド面となっているので、支持部１４の後端部の上面が各係合部３５の下面に当たった場合に、耳部外れ防止部材２９を一対の挿入部３１が広がるように変形させることができ、耳部外れ防止部材２９を一層容易に挿入できる。またこの場合、耳部外れ防止部材２９を軒樋４と軒先面２の間に上方から容易に挿入できる。
【００２８】
このように耳部外れ防止部材２９を軒樋吊具３に保持すると、図１のように耳部外れ防止部材２９の各挿入部３１は軒樋吊具３の支持部１４と軒先面２との間に配置される。そしてこのように配置された耳部外れ防止部材２９にあっては、後突部３６の後面は取付部８の両側の直下の軒先面２に当たり、軒樋当て部３７の前面は軒樋４の後壁部４ｃの上端部（後耳部２６に対応する部分）に当たる。また係止突部２０から耳部外れ防止部材２９までの最短距離Ａ２が軒樋４の後耳部２６の前後幅Ｌよりも小さくなる。従って係止突部２０と耳部外れ防止部材２９との間から軒樋４の後耳部２６が抜け出ないようにできる。
【００２９】
以上説明したように本発明では軒樋４の後壁部４ｃの上部と軒先面２の間に形成された隙間３０に配置した耳部外れ防止部材２９により、軒樋４の後耳部２６が軒樋吊具３の耳部収納空所２１から抜け出て係止突部２０から外れることを確実に防止できる。しかもこの場合、軒樋４の後壁部４ｃと軒先面２との間には、軒樋吊具３が存在しないので、軒樋４を軒先面２に近づけて位置させ軒樋４と軒先面２との間に形成される隙間３０を小さくできて外観を向上できる。また本例では上記耳部外れ防止部材２９の後突部３６は軒樋吊具３の取付部８の両側の直下に位置するので、耳部外れ防止部材２９が上方に移動した際には後突部３６が取付部８に当たって後耳部２６が外れ難いようになっている。
【００３０】
なお上記では軒先面２を鼻板１の外面としたが、軒先面２はこれに限定されず、例えば鼻板１の外面を覆う鼻板カバーの外面で構成したり、また建物の外壁の外面で構成しても良い。
【００３１】
図５は軒先面２を鼻板カバーの外面で構成した例であり、鼻板カバー３８は鼻板１の外面から軒天井面３９に亘る部分を覆うように図示しない固着具で鼻板１に取付けられている。鼻板カバー３８の鼻板１の外面の下端部に対応する部分は前方に向けて突曲し、これにより軒先面２における軒樋４の後壁部４ｃの下部に対向する部分に前方（屋外側）に突出する隙間隠し部４０を形成し、該隙間隠し部４０により軒先面２と軒樋４の後壁部４ｃとの間に形成された隙間３０を隠している。なお本例では、係止突部２０の突端から隙間隠し部４０までの最短距離Ａ３は軒樋４の後耳部２６の前後幅Ｌよりも大きくしてあり、これにより軒樋４の後耳部２６を軒樋吊具３の係止突部２０の上面に係止する際に後耳部２６が隙間隠し部４０に干渉することも防止している。
【図面の簡単な説明】
【００３２】
【図１】本発明の軒樋の支持構造を示す側断面図である。
【図２】同上の耳部外れ防止部材の取付けの説明に用いた説明図である。
【図３】同上の耳部外れ防止部材を示し、（ａ）は側面図であり、（ｂ）は背面図である。
【図４】（ａ）（ｂ）は同上の耳部外れ防止部材の軒樋吊具への保持方法を順に示す説明図である。
【図５】他例の軒樋の支持構造を示す側断面図である。
【図６】従来の軒樋の支持構造の一例を示す側断面図である。
【図７】従来の軒樋の支持構造の他例を示す側断面図である。
【符号の説明】
【００３３】
２  軒先面
３  軒樋吊具
４  軒樋
４ｃ  後壁部
８  取付部
１４  支持部
１６  前側保持部
１７  後側保持部
２０  係止突部
２１  耳部収納空所
２６  後耳部
２９  耳部外れ防止部材
３０  隙間
３１  挿入部
３２  連絡部
３３  操作部
３５  係合部
【図１】
0004682841.tif 000002
【図２】
0004682841.tif 000003
【図３】
0004682841.tif 000004
【図４】
0004682841.tif 000005
【図５】
0004682841.tif 000006
【図６】
0004682841.tif 000007
【図７】
0004682841.tif 000008